(57)【要約】【課題】ケーブルを差し込む際の力により変形を生じさせない筐体を有するチューナ装置を提供する。【解決手段】高周波信号を処理する高周波回路と、高周波回路を内蔵する筐体１０と、高周波回路から導出された接続用端子１３と、高周波信号を入力する入力端子１１とを備えたチューナ装置１において、接続用端子１３は筐体１０の底面１８に設けられ、入力端子１１は筐体１０の側面１７ａの底面１８側に１つだけ配置されている。ケーブルを差し込むときに入力端子１１に加わる力は筐体１０を変形させるように働くが、入力端子１０は接続用端子１３の近く（底面１８側）に設けられていることから、入力端子１０に加わる力は実装基板に伝えられ分散されるので、筐体１０の歪が抑えられ、変形しないようになる。【選択図】図１
2007110625.tif 000002
【特許請求の範囲】
【請求項１】
高周波信号を処理する高周波回路と、該高周波回路を内蔵する筐体と、前記高周波回路から導出された接続用端子と、前記高周波信号を入力する入力端子とを備えたチューナ装置において、前記接続用端子は前記筐体の底面に設けられ、前記入力端子は前記筐体の側面の前記底面側に１つだけ配置されていることを特徴とするチューナ装置。
【請求項２】
前記筐体の側面には、搭載される位置の周囲の壁に係止する係止部が設けられ、
該係止部は、前記底面に対して前記入力端子を挟んで反対の位置に設けられていることを特徴とする請求項１に記載のチューナ装置。
【請求項３】
高周波信号を処理する高周波回路と、該高周波回路を内蔵する筐体と、前記高周波回路から導出された接続用端子と、前記高周波信号を入力する入力端子と、前記高周波信号を出力する出力端子とを備えたチューナ装置において、前記接続用端子は前記筐体の底面に設けられ、前記出力端子は前記筐体の側面の前記底面側に１つだけ配置されていることを特徴とするチューナ装置。
【請求項４】
前記筐体の側面には、搭載される位置の周囲の壁に係止する係止部が設けられ、
該係止部は、前記底面に対して前記出力端子を挟んで反対の位置に設けられていることを特徴とする請求項３に記載のチューナ装置。
【請求項５】
請求項１乃至請求項４のいずれか一つに記載のチューナ装置を搭載していることを特徴とする電子機器。
【発明の詳細な説明】
【技術分野】
【０００１】
本発明は、筐体の変形を防止する構造を有するチューナ装置、および、そのチューナ装置を搭載した電子機器に関する。
【背景技術】
【０００２】
テレビジョン受信機など高周波信号を処理する電子機器には、チューナ装置が備えられている。チューナ装置では、アンテナや信号分配器からケーブルを介して電送される高周波信号が処理される。
【０００３】
チューナ装置は、高周波信号を処理する高周波回路、高周波回路を内蔵する筐体、高周波回路から導出された接続用端子、および高周波信号を入力する入力端子により主要部が構成されている。
【０００４】
高周波信号を入力するための入力端子は、筐体の側面に設けられている。入力端子は、高周波信号を電送するケーブルと接続するためのものであることから、チューナ装置は、入力端子の部分だけが電子機器の壁から突出するようにして配置される。
【０００５】
図５は、従来例１に係るチューナ装置の斜視図である。チューナ装置１００は地上波テレビジョン受信機用であり、ＵＨＦ帯とＶＨＦ帯の高周波信号を１つの入力端子１１１から入力する構成とされている。入力端子１１１は、筐体１１０の側面１１７に設けられ、接続用端子１１３（筐体１１０の底面１１８）から離れた位置に配置されている。
【０００６】
また、他のチューナ装置は、例えば特許文献１に記載されている（従来例２）。このチューナ装置では、筐体の側面に入力端子と他の電子回路と接続を図るためのピンジャックとが設けられており、入力端子は、接続用端子から離れた位置に配置されている。
【特許文献１】実開昭５９−１０６２３８号公報
【発明の開示】
【発明が解決しようとする課題】
【０００７】
しかしながら、従来のいずれのチューナ装置においても、入力端子にケーブルを差し込んだとき、筐体の変形が生じたり接続用端子が破断したりする場合があった。以下に、この点について説明する。
【０００８】
図６は、従来例１に係るチューナ装置にケーブルを差し込んだ状態の断面図である。チューナ装置１００は、テレビジョン受信機などの電子機器１２０の内部に設けられている実装基板１２１に半田接続され、入力端子１１１は壁１２２から外側に突き出されている。
【０００９】
入力端子１１１は、壁１２２には固定されていないので、高周波信号を電送するケーブル１３０を差し込むと、差し込みの際の力が入力端子１１１を介して筐体１１０に伝わる。一方、接続用端子１１３は実装基板１２１に固定されているので、筐体１１０に伝えられた力は筐体１１０を矢符方向Ａに変形させ、または、接続用端子１１３の接続部１１３ａを破断させることになる。
【００１０】
また、従来例２のように入力端子と出力端子（ピンジャック）等とが設けられているチューナ装置では、筐体の同一の側面に入力端子と出力端子が配置され、必然的に一方の端子（入力端子または出力端子）が接続用端子から離れた位置に配置される構成となっている。そのため、離れた位置に配置された端子（入力端子または出力端子）にケーブルを差し込んだときの力は、実装基板等に分散されず筐体に直接的に作用し、これにより、筐体１１０を大きく変形させたり、また、接続用端子を破断させてしまう。
【００１１】
このような筐体１１０の変形や接続用端子１１３の接続部１１３ａの破断を回避するために、筐体１１０を構成する金属板を厚くし強度を確保する方法も考えられるが、この方法では材料コストが増加し、また、金属板が厚くなる分加工しにくくなり加工時間もかかってしまうという問題がある。
【００１２】
また、筐体１１０の内面に補強用のリブ等を設ける方法も考えられるが、この方法では、筐体自体が大きくなってしまうという問題、加工費が増加するという問題がある。
【００１３】
本発明はこのような状況に鑑みてなされたものであり、ケーブルを接続する際における筐体の変形が少ない、または接続用端子が破断しないチューナ装置、および、そのようなチューナ装置を搭載した電子機器を提供することを目的とする。
【課題を解決するための手段】
【００１４】
本発明に係るチューナ装置は、高周波信号を処理する高周波回路と、該高周波回路を内蔵する筐体と、前記高周波回路から導出された接続用端子と、前記高周波信号を入力する入力端子とを備えたチューナ装置において、前記接続用端子は前記筐体の底面に設けられ、前記入力端子は前記筐体の側面の前記底面側に１つだけ配置されていることを特徴とする。
【００１５】
この構成により、入力端子に力が加わっても、筐体は殆ど変形せず、チューナ装置の故障がなくなる。すなわち、ケーブルを差し込むときに入力端子に加わる力は筐体を変形させるように働くが、入力端子は接続用端子の近く（底面側）に設けられていることから、入力端子に加わる力は実装基板に伝えられ分散されるので、筐体の歪が抑えられ、変形しないようになる。また、接続用端子に加わる力も小さくなり、接続用端子の破断もなくなる。
【００１６】
また、本発明に係るチューナ装置では、前記筐体の側面には、搭載される位置の周囲の壁に係止する係止部が設けられ、該係止部は、前記底面に対して前記入力端子を挟んで反対の位置に設けられていることを特徴とする。
【００１７】
この構成により、入力端子が設けられている筐体の側面は、係止部によってチューナ装置が搭載される位置の周囲の壁に固定されることから、ケーブルを入力端子に差し込んでも筐体の変形がなくなり、また、接続用端子の破断が生じなくなる。
【００１８】
また、本発明に係るチューナ装置は、高周波信号を処理する高周波回路と、該高周波回路を内蔵する筐体と、前記高周波回路から導出された接続用端子と、前記高周波信号を入力する入力端子と、前記高周波信号を出力する出力端子とを備えたチューナ装置において、前記接続用端子は前記筐体の底面に設けられ、前記出力端子は前記筐体の側面の前記底面側に１つだけ配置されていることを特徴とする。
【００１９】
この構成により、出力端子に力が加わっても、筐体は殆ど変形せず、チューナ装置の故障がなくなる。すなわち、ケーブルを差し込むときに出力端子に加わる力は筐体を変形させるように働くが、出力端子は接続用端子の近く（底面側）に設けられていることから、出力端子に加わる力は実装基板に伝えられ分散されるので、筐体の歪が抑えられ、変形しないようになる。また、接続用端子に加わる力も小さくなり、接続用端子の破断もなくなる。
【００２０】
また、本発明に係るチューナ装置では、前記筐体の側面には、搭載される位置の周囲の壁に係止する係止部が設けられ、該係止部は、前記底面に対して前記出力端子を挟んで反対の位置に設けられていることを特徴とする。
【００２１】
この構成により、出力端子が設けられている筐体の側面は、係止部によってチューナ装置が搭載される位置の周囲の壁に固定されることから、ケーブルを出力端子に差し込んでも筐体の変形がなくなり、また、接続用端子の破断が生じなくなる。
【００２２】
本発明に係る電子機器は、本発明に係るチューナ装置を搭載していることを特徴とする。この構成により、故障の少ない電子機器を提供することができる。すなわち、ケーブルを入力端子（または出力端子）に差し込んだときに生じる筐体の変形および端子の破断は殆ど生じないことから、電子機器の故障は少なくなる。
【発明の効果】
【００２３】
本発明に係るチューナ装置によれば、入力端子（または出力端子）が接続用端子の近くに配置されているので、ケーブルを入力端子（または出力端子）に差し込む際に力が加わっても、筐体の変形や接続用端子の接続部の破断が生じない。また、この結果、チューナ装置の故障もなくなる。
【００２４】
また、本発明に係るチューナ装置によれば、チューナ装置が搭載される位置の周囲の壁に筐体が係止部により固定されるので、ケーブルを入力端子（または出力端子）に差し込む際に力が加わっても、筐体の変形や接続用端子の接続部の破断が生じない。
【００２５】
本発明に係る電子機器によれば、本発明のチューナ装置を備えているので、チューナ装置の故障がなくなって電子機器の故障が少なくなる。
【発明を実施するための最良の形態】
【００２６】
以下、本発明の実施の形態を図面に基づいて説明する。
【００２７】
＜実施の形態１＞
図１は、本発明の実施の形態１に係るチューナ装置の斜視図である。本実施の形態に係るチューナ装置１は、高周波信号を処理する高周波回路（不図示）、高周波回路を内蔵する筐体１０、高周波回路から導出され筐体１０の底面１８から突出する接続用端子１３、および高周波信号を入力する入力端子１１により主要部が構成されている。
【００２８】
入力端子１１は、ケーブル３０（図２参照）の末端の接栓と接続され、ケーブル３０を介して電送される高周波信号の入力部としての機能を有する。また、入力端子１１は筐体１０の側面１７ａから突き出して設けられている。チューナ装置１を電子機器２０（図２参照）に実装する際には、実装（搭載）する位置の周囲の壁２２（図２参照）から入力端子１１が突き出すように配置される。また、入力端子１１は、筐体１０の側面１７ａにおいて接続用端子１３が設けられている側（図中、筐体１０の底面１８が設けられている側、底面側）に配置されている。
【００２９】
入力端子１１は、筒状で外側端子と内側端子の２重構造となっている。外側端子は導電性の金属により形成され接地用の端子となっている。すなわち、外側の端子は、筐体１０に接続され、筐体１０は接地用の接続用端子１３に接続されている。内側端子は、ケーブル３０を介して電送される信号伝達用の端子であり、高周波回路に接続される。これにより、アンテナ装置等により受信された電波が、ケーブル３０および入力端子１１を介して高周波回路に導入される。
【００３０】
また、入力端子１１は１つになるように構成されている。つまり、テレビジョン受信機用のチューナ装置１ではＶＨＦ帯とＵＨＦ帯の高周波信号が存在するので原則的に２つの入力端子１１が必要になるが、入力端子１１が１つになるように回路が設計されている。具体的には、入力端子１１に直結する部分においてＶＦＨ帯とＵＨＦ帯を通過するフィルタをそれぞれ設けることにより、入力端子１１が１つでも各帯域の高周波信号が処理できるようになっている。
【００３１】
高周波回路は、高周波信号を同調、増幅、混合等の処理を行う回路であり、所定の周波数の信号を抽出し増幅して接続用端子１３に出力する。具体的には、テレビジョン受信機のチューナ装置１では、ＵＨＦ帯とＶＨＦ帯の高周波信号をそれぞれの信号処理回路に分岐させる回路、ＵＨＦ帯の信号処理回路、およびＶＦＨ帯の信号処理回路等から構成されている。
【００３２】
筐体１０は、高周波回路を内蔵し、外部の回路から生じる電磁波や静電気等から遮蔽するため、導電性の金属から形成されている。
【００３３】
接続用端子１３は、高周波回路を動作させるための電力供給端子、入力された高周波信号から形成された処理信号を出力する出力用の端子、および接地をとるための接地端子等から構成されている。
【００３４】
図２は、本発明の実施の形態１に係るチューナ装置が電子機器に実装された状態の断面図である。チューナ装置１は、テレビジョン受信機等の電子機器２０の内部に設けられる実装基板２１に固定され、入力端子１１が電子機器２０の壁２２から突出するように固定される。具体的には、チューナ装置１は、筐体１０の側面１７ａが実装基板２１の端縁に位置するように配置され、側面１７ａが電子機器２０の壁２２に面するように実装される。また、入力端子１１は、電子機器２０の壁２２に設けられた貫通穴２６に挿入されて壁２２から突き出される。
【００３５】
入力端子１１にケーブル３０を差し込むとき、入力端子１１を介して筐体１０に力が加わる。しかし、入力端子１１は接続用端子１３の近く（底面側）に設けられていることから、入力端子１１に加わる力は実装基板２１に伝えられて分散されるので、筐体１０の歪が抑えられ、変形しないようになっている。また、接続用端子に加わる力も小さくなるので、接続用端子１３の接続部１３ａの破断もなくなる。
【００３６】
この結果、ケーブル３０を入力端子１１に差し込む際に筐体１０に力が加わっても、筐体１０の変形および接続用端子１３の接続部１３ａの破断が生じなくなるので、チューナ装置１の故障もなくなる。
【００３７】
＜実施の形態２＞
図３は、本発明の実施の形態２に係るチューナ装置の斜視図である。本実施の形態に係るチューナ装置１は、入力端子１１のほかに出力端子１２が設けられている。その他の構成は、実施の形態１と同様であるので説明を省略する。
【００３８】
出力端子１２は、出力用ケーブル（不図示）の末端の接栓と接続され、高周波信号の出力部としての機能を有する。また、出力端子１２は筐体１０の側面１７ｂから突き出して設けられている。チューナ装置１を電子機器２０（図２参照）に実装する際には、出力端子１２が電子機器２０の壁２２から突き出すように配置される。これによって、出力用ケーブルを容易に出力端子１２に差し込めるようになる。また、出力端子１２は、筐体１０の側面１７ｂにおいて接続用端子１３が設けられている側（図中、筐体１０の底面１８が設けられている側、底面側）に配置されている。
【００３９】
一方、入力端子１１は、出力端子１２が設けられている筐体１０の側面１７ｂには設けられないで、反対側の側面１７ａに設けられている。入力端子１１は、側面１７ａにおける位置は限定されない。
【００４０】
チューナ装置１は、テレビジョン受信機等の電子機器２０の内部に設けられる実装基板２１（図２参照）に固定され、出力端子１２が電子機器２０の壁２２から突出するように固定される。具体的には、チューナ装置１は、筐体１０の側面１７ｂが実装基板２１の端縁に位置するように配置され、側面１７ｂが電子機器２０の壁２２に面するように実装される。また、出力端子１２は、電子機器２０の壁２２に設けられた貫通穴２６に挿入されて壁２２から突き出される。
【００４１】
なお、入力端子１１は電子機器２０の内部に存在することになるので、電子機器２０の外側からケーブル３０（図２参照）を入力端子１１に直接差し込むことはできない。そのため、入力端子１１は、電子機器２０の内部において配線される内部ケーブルを介して、壁２２に設けられるケーブル接続用アダプタに接続される。
【００４２】
出力端子１２に出力用ケーブルを差し込むとき、出力端子１２を介して筐体１０に力が加わる。しかし、出力端子１２は接続用端子１３の近く（底面側）に設けられていることから、出力端子１２に加わる力は実装基板２１に伝えられ分散されるので、筐体１０の歪が抑えられ、変形しないようになっている。また、接続用端子に加わる力も小さくなるので、接続用端子１３の接続部１３ａ（図２参照）の破断もなくなる。
【００４３】
この結果、出力用ケーブルを出力端子１２に差し込む際に筐体１０に力が加わっても、筐体１０の変形および接続用端子１３の接続部１３ａの破断が生じなくなるので、チューナ装置１の故障もなくなる。
【００４４】
＜実施の形態３＞
図４は、本発明の実施の形態３に係るチューナ装置の斜視図である。本実施の形態に係るチューナ装置１は、筐体１０の側面１７ａに電子機器２０の壁２２（図２参照）に係止する係止部１５が設けられた構成になっている。その他の構成は実施の形態１と同じであるので説明を省略する。
【００４５】
係止部１５は、電子機器２０の壁２２に筐体１０を固定するためのものであり、筐体１０の側面１７ａにおいて、底面１８に対して入力端子１１を挟んで反対の位置（同図、入力端子１１の上側）に設けられている。また、係止部１５は、筐体１０の側面１７ａの一部を盛り上げるように圧延し、その中央部に雌ネジ１５ａを設けて形成されている。
【００４６】
チューナ装置１は、テレビジョン受信機等の電子機器２０の内部に設けられる実装基板２１に固定され、入力端子１１が電子機器２０の壁２２から突出するように固定される。具体的には、チューナ装置１は、筐体１０の側面１７ａが実装基板２１の端縁に位置するように配置され、側面１７ａが電子機器２０の壁２２に面するように実装される。また、入力端子１１は、電子機器２０の壁２２に設けられた貫通穴２６（図２参照）に挿入されて壁２２から突き出される。このとき、電子機器２０の壁２２の上側（チューナ装置１の雌ネジ１５ａの位置と対応する位置）に設けられた係止用貫通穴に雄ネジが挿入され、チューナ装置１の係止部１５に設けられた雌ネジ１５ａに雄ネジが螺合される。これにより、チューナ装置１は壁２２に固定される。
【００４７】
入力端子１１が設けられている筐体１０の側面１７ａは、チューナ装置１が搭載される位置の周囲の壁２２に係止部１５によって固定されることから、ケーブル３０（図２参照）を入力端子１１に差し込んでも、入力端子１１に加わる力の殆どが係止部１５を介して電子機器２０の壁２２に伝えられるので、筐体１０の変形がなくなり、また、接続用端子１３の接続部１３ａ（図２参照）の破断が生じなくなる。
【００４８】
また、チューナ装置１の筐体１０は、縦長の矩形であり実装基板２１に対して垂直に立てて実装されている場合には、ケーブル３０を差し込んだとき筐体１０が横に傾いてしまい、固定された接続用端子１３に横向きの力が加わり接続部１３ａの破断してしまう場合があったが、係止部１５による筐体１０の固定によりこのような傾きはなくなるので、接続用端子１３が接続部１３ａの破断することがなくなる。
【００４９】
なお、本実施の形態は実施の形態２に対しても適用できる。
【００５０】
＜実施の形態４＞
本実施の形態に係る電子機器について図２を参照して説明する。本実施の形態に係る電子機器２０は、本発明に係るチューナ装置１が備えられている。具体的には、テレビジョン受信機の内部の実装基板２１に本発明に係るチューナ装置１が半田付けされ、入力端子１１が壁２２から突き出されて配置されている。
【００５１】
入力端子１１にケーブル３０を挿入して接続するとき、入力端子１１に力が加わるので筐体１０およびに接続用端子１３に力が加わるが、本発明のチューナ装置１によれば、加わる力は実装基板２１または電子機器２０の壁２２に分散されるので、筐体１０の変形および接続用端子１３の接続部１３ａの破断は殆ど生じなくなる。したがって、チューナ装置１の故障から生じる電子機器２０の故障はなくなる。
【図面の簡単な説明】
【００５２】
【図１】本発明の実施の形態１に係るチューナ装置の斜視図である。
【図２】本発明の実施の形態１に係るチューナ装置が電子機器に実装された状態の断面図である。
【図３】本発明の実施の形態２に係るチューナ装置の斜視図である。
【図４】本発明の実施の形態３に係るチューナ装置の斜視図である。
【図５】従来例１に係るチューナ装置の斜視図である。
【図６】従来例１に係るチューナ装置にケーブルを差し込んだ状態の断面図である。
【符号の説明】
【００５３】
１              チューナ装置
１０            筐体
１１            入力端子
１２            出力端子
１３            接続用端子
１５            係止部
１７ａ、１７ｂ  側面
１８            底面
２２            壁
２１            実装基板
２６            貫通穴
３０            ケーブル
【図１】
2007110625.tif 000003
【図２】
2007110625.tif 000004
【図３】
2007110625.tif 000005
【図４】
2007110625.tif 000006
【図５】
2007110625.tif 000007
【図６】
2007110625.tif 000008